(57)【要約】      （修正有）【課題】印刷中でも、作業者が印刷媒体を、載置部の適切な位置に載置できるプリンタ装置を提供する。【解決手段】プリンタ装置１は、印刷媒体を載置する載置部１０と、載置部１０の上方においてＹ方向に延在するＹバー１１と、載置部１０の第１の領域に載置された印刷媒体と、第１の領域とは異なる第２の領域に載置された印刷媒体とを、順番に印刷するように制御する制御部と、第１の領域及び第２の領域の端部であって、Ｙバー１１のＸ方向における可動領域の端にある側の端部に設けられた、印刷媒体を載置部１０に載置する際の位置合わせのためのガイドピンとを備える。また、プリンタ装置１は、印刷媒体を載置部１０に吸着させる吸着手段と、吸着手段のオン／オフを切り替えるフットペダル１５とを備え、フットペダル１５は、載置部１０を備える装置本体とケーブルによって接続されている。【選択図】図１
2018043384.tif 000002
【特許請求の範囲】
【請求項１】
印刷媒体を載置する載置部と、
前記載置部の上方において第１の方向に延在し、インクを吐出するヘッドユニットを前記第１の方向に移動可能に保持すると共に、前記載置部に対して前記第１の方向に直交する第２の方向に移動可能に保持されるＹバーと、
前記載置部の第１の領域に載置された印刷媒体と、前記第１の領域とは異なる前記載置部の第２の領域に載置された印刷媒体とを、順番に印刷するように制御する制御部と、
前記第１の領域及び前記第２の領域の端部であって、前記Ｙバーの前記第２の方向における可動領域の端にある側の端部に設けられた、前記印刷媒体を前記載置部に載置する際の位置合わせのための位置合わせ手段と、
を備えるプリンタ装置。
【請求項２】
前記第１の領域または前記第２の領域に載置された印刷媒体を前記載置部に吸着させる吸着手段と、
前記吸着手段を作動させるか停止するかを切り替えるフットペダルと、
を備える請求項１に記載のプリンタ装置。
【請求項３】
前記フットペダルは、前記位置合わせ手段を用いて前記載置部に前記印刷媒体を載置する際に、操作可能な位置に配置される請求項２に記載のプリンタ装置。
【請求項４】
前記フットペダルは、前記載置部を備える装置本体とケーブルによって接続されている請求項２または３に記載のプリンタ装置。
【請求項５】
前記ケーブルは、前記位置合わせ手段の近傍において、前記装置本体に接続されている請求項４に記載のプリンタ装置。
【請求項６】
前記制御部は、印刷の開始時に、前記吸着手段を作動して前記第１の領域または前記第２の領域に載置された印刷媒体を前記載置部に吸着させる請求項２乃至５のいずれかに記載のプリンタ装置。
【請求項７】
前記制御部は、前記第１の領域に載置された印刷媒体を印刷する場合と、前記第２の領域に載置された印刷媒体を印刷する場合とで、１８０°回転させた画像データを用いる請求項１乃至６のいずれかに記載のプリンタ装置。
【発明の詳細な説明】
【技術分野】
【０００１】
本発明は、印刷媒体を載置する載置部を備えるプリンタ装置に関する。
【背景技術】
【０００２】
従来から、印刷媒体を載置部に載置して印刷を行う、いわゆる、フラットベッド型のプリンタ装置が知られている。特許文献１は、フラットベッド型のプリンタ装置において、画像の記録を効率よく行うことができる装置を開示している。特許文献１に記載された装置では、印刷媒体を置く載置部は、第一載置面領域と第二載置面領域とを有しており、第一載置面領域に置いた印刷媒体を印刷している最中に、第二載置面領域に載せる印刷媒体を交換することができる。これにより、第一載置面領域に置かれた印刷媒体と第二載置面領域に置かれた印刷媒体とを交互に繰り返して記録できるという効果を有する。このように印刷媒体を交互に印刷することを、本明細書では、「トグル印刷」という。
【先行技術文献】
【特許文献】
【０００３】
【特許文献１】特開２０１５−５８５５３
【発明の概要】
【発明が解決しようとする課題】
【０００４】
プリンタ装置に画像データが入力されると、プリンタ装置は、当該画像データにしたがってインクヘッドを駆動して印刷を行う。したがって、印刷媒体を載置部に置くときには、印刷媒体を載置部の座標系に合わせてセットする必要がある。
【０００５】
しかし、プリンタ装置がトグル印刷を行っている際には、印刷媒体に印刷を行うためにプリントヘッドが動いているため、印刷を行っていない領域に別の印刷媒体を適切な位置に載置することは容易ではない。
【０００６】
本発明は、上記背景に鑑み、載置された一部の印刷媒体の印刷中であっても、作業者が他の印刷媒体を適切に載置部に載置できるプリンタ装置を提供することを目的とする。
【課題を解決するための手段】
【０００７】
本発明のプリンタ装置は、印刷媒体を載置する載置部と、前記載置部の上方において第１の方向に延在し、インクを吐出するヘッドユニットを前記第１の方向に移動可能に保持すると共に、前記載置部に対して前記第１の方向に直交する第２の方向に移動可能に保持されるＹバーと、前記載置部の第１の領域に載置された印刷媒体と、前記第１の領域とは異なる第２の領域に載置された印刷媒体とを、順番に印刷するように制御する制御部と、前記第１の領域及び前記第２の領域の端部であって、前記Ｙバーの前記第２の方向における可動領域の端にある側の端部に設けられた、前記印刷媒体を前記載置部に載置する際の位置合わせのための位置合わせ手段とを備える。
【０００８】
このように位置合わせ手段を、第１の領域及び第２の領域の端部であって、Ｙバーの第２の方向における可動領域の端にある側の端部に設けることにより、作業者が、印刷中のヘッドユニットのある反対側の端部から印刷媒体を交換する作業を行うことができる。この構成により、第１の領域の印刷媒体の印刷中においても、印刷媒体を第２の領域の適切な位置に置くことができ、逆に、第２の領域の印刷媒体の印刷中のおいても、印刷媒体を第１の領域の適切な位置に置くことができる。ここで位置合わせ手段は、例えば、載置部の上面から載置部の上方に延びるガイドピンである。
【０００９】
本発明のプリンタ装置は、前記第１の領域または前記第２の領域に前記載置部に載置された印刷媒体を吸着させる吸着手段と、前記吸着手段を作動させるか停止するかを切り替えるフットペダルとを備えてもよい。
【００１０】
このように吸着手段を操作するフットペダルを有することにより、印刷媒体の位置合わせを行うために両手を使うことができ、位置合わせをした段階で足でフットペダルを操作して吸着を行えるので、印刷媒体の位置合わせを容易に行える。
【００１１】
本発明のプリンタ装置において、前記フットペダルは、前記位置合わせ手段を用いて前記載置部に前記印刷媒体を載置する際に、操作可能な位置に配置されてもよい。
【００１２】
この構成により、位置合わせ手段を用いて印刷媒体を載置する際に、作業者は、印刷媒体の位置合わせと行うと共に、その場を離れることなく、印刷媒体の載置部への吸着を行うことができる。
【００１３】
本発明のプリンタ装置において、前記フットペダルは、前記載置部を備える装置本体とケーブルによって接続されていてもよい。
【００１４】
作業者の利き足や印刷媒体の大きさや形状などによって作業者が作業を行う場所は異なるが、本発明の構成により、フットペダルをケーブルによって接続することにより、作業者の使いやすい場所にフットペダルを移動することができる。
【００１５】
本発明のプリンタ装置において、前記ケーブルは、前記位置合わせ手段の近傍において、前記装置本体に接続されていてもよい。
【００１６】
ケーブルは位置合わせ手段の近傍において装置本体に接続されているので、位置合わせ手段の近傍で作業を行うことができる。これにより、作業者は、印刷媒体を真上から見て位置合わせすることができ、容易かつ確実に位置合わせを行える。なお、近傍とは、載置部が有する辺のうち、位置合わせ手段に最も近い辺であってもよい。
【００１７】
本発明のプリンタ装置において、前記制御部は、印刷の開始時に、前記吸着手段を作動して前記第１の領域または前記第２の領域に載置された印刷媒体を前記載置部に吸着させてもよい。
【００１８】
この構成により、作業者が印刷媒体を載置部に吸着させる処理をうっかり忘れた場合であっても、印刷媒体を載置部に吸着させて確実に固定させた上で印刷を行うことができる。
【００１９】
本発明のプリンタ装置において、前記制御部は、前記第１の領域に載置された印刷媒体を印刷する場合と、前記第２の領域に載置された印刷媒体を印刷する場合とで、１８０°回転させた画像データを用いてもよい。
【００２０】
このように第１の領域と第２の領域の場合で、１８０°回転させた画像データを用いることにより、第１の領域と第２の領域のいずれに印刷媒体を載置する場合も、載置部１０の外側から作業を行う作業者からみて同じ向きに印刷媒体を載置すればよいので、印刷媒体を載置する作業の効率を高めることができる。
【発明の効果】
【００２１】
本発明によれば、印刷媒体の印刷中においても、印刷を行っていない領域に印刷媒体を適切に載置できるという効果を有する。
【図面の簡単な説明】
【００２２】
【図１】実施の形態のプリンタ装置の外観を示す斜視図である。
【図２】実施の形態のプリンタ装置を上面図である。
【図３】フットペダルの外観を示す斜視図である。
【図４】テーブルに増設用テーブルを連結する過程を示す図である。
【図５】第１の領域に載置された印刷媒体、及び、第２の領域に載置された印刷媒体を印刷するときの画像データを説明するための図である。
【図６】変形例に係るプリンタ装置の構成を示す図である。
【発明を実施するための形態】
【００２３】
以下、本発明の実施の形態のプリンタ装置について、図面を参照しながら説明する。
図１は、実施の形態のプリンタ装置１の外観を示す図である。プリンタ装置１は、フラットベッド型のプリンタ装置である。本実施の形態では、フラットベッドを構成するテーブルが増設されている。テーブルを増設することにより、２．５×３．１ｍの大判サイズの印刷媒体を印刷することができ、４×８板サイズ（１，２２０ｍｍ×２，４４０ｍｍ）の印刷媒体なら一度に２枚セットすることができる。
【００２４】
図２は、実施の形態のプリンタ装置１を上から見た図である。図２に示すように、載置部１０は、テーブル１０ａとテーブル１０ｂとが接続されて構成されている。２つの印刷媒体をセットするときには、テーブル１０ａの第１の領域と、テーブル１０ｂの第２の領域のそれぞれにセットする。もちろん、第１の領域と第２の領域をまたいで、載置部１０の全体に１つの印刷媒体をセットしてもよい。
【００２５】
図１及び図２に示すように、プリンタ装置１は、フラットベッドの上方に、Ｙ方向に延びるＹバー１１を備えている。Ｙバー１１は、インクを吐出するインクジェットヘッド（図示せず）を収容したキャリッジ１２をＹ方向（主走査方向）に移動可能に保持する。また、Ｙバー１１は、Ｘ方向（副走査方向）に移動可能な態様で保持されている。これにより、キャリッジ１２をＸＹ方向に移動して、載置部１０に置かれた印刷媒体に印刷を行うことができる。
【００２６】
載置部１０には、複数の吸着孔１８が形成されている。吸着孔１８は空気を吸い込む孔であり、印刷媒体が載置された状態で空気を吸い込むことにより、印刷媒体は載置部１０に吸着され、固定される。
【００２７】
プリンタ装置１は、プリンタ装置１を制御する制御部１３を有している。制御部１３には、ＰＣ２０が接続されており、ＰＣ２０から送信される画像データ等を受信する。また、プリンタ装置１は、図１における手前側に操作パネル１４を有している。操作パネル１４は、プリンタ装置１を操作するための表示部やボタンを有するパネルであり、入出力インターフェースを構成する。操作パネル１４は、制御部１３に接続されており、操作パネル１４に入力された指示に基づいて、制御部１３に操作指示命令を入力する。
【００２８】
操作パネル１４は、載置部１０に印刷媒体を吸着させるか否かを操作するボタンも有している。ただし、本実施の形態においては、このボタンは、載置部１０全体に対する制御を行うものであって、第１の領域と第２の領域の吸着を個別に制御することはできない。
【００２９】
図１及び図２に示すように、プリンタ装置１は、プリンタ装置１の本体にケーブルで接続された２個のフットペダル１５を有している。それぞれのフットペダル１５は、第１の領域と第２の領域のそれぞれに対して、印刷媒体の吸着制御を行うことができる。
【００３０】
図３は、フットペダル１５の外観を示す斜視図である。フットペダル１５は、基台１５ａに対して回動可能に取り付けられた上面１５ｂを有し、上面１５ｂは、図示しない付勢手段によって斜めに傾いた状態で保持されている。フットペダル１５の上面１５ｂを足で踏んで、付勢手段に抗して上面１５ｂを寝かせる方向に回動させると、所定の角度だけ、回動したところで、フットペダル１５は、踏み込まれたことを示す信号をプリンタ装置１の制御部１３に送信する。
【００３１】
制御部１３は、フットペダル１５からの信号を受けて、フットペダル１５が設けられた側の領域の吸着孔１８から空気を吸い込むか、吸い込みを止めるかを切り替える。すなわち、フットペダル１５が踏み込まれた信号が送られるたびに、吸着手段は、空気の吸い込みのオン→オフ→オン→・・・を繰り返し行う。
【００３２】
また、制御部１３は、ＰＣ２０から画像データが送信され、送信された画像データを印刷媒体に印刷する際に、その印刷媒体が置かれた領域の吸着手段を作動して、印刷媒体を載置部１０に吸着させる。これにより、もし、作業者が、フットペダル１５による吸着処理を忘れてしまった場合にも、印刷媒体を載置部１０に固定して、印刷媒体に対して適切な印刷を行える。
【００３３】
図２に示すように、プリンタ装置１は、載置部１０上に位置合わせのためのガイドピン１７を有している。ガイドピン１７は、載置部１０から上に向かって突出した棒状の部材である。ガイドピン１７は、Ｙバー１１の第Ｘ方向における可動領域の端部付近に設けられている。ガイドピン１７は、第１の領域、及び第２の領域の端部に位置しており、ガイドピン１７に押し当てるようにして印刷媒体をセットすることにより、印刷媒体の原点を第１の領域または第２の領域の原点に合わせることができる。なお、ガイドピン１７は、載置部１０に対して着脱可能な構成であってもよい。例えば、載置部１０にガイドピン１７を着脱可能に取り付ける複数の取付孔を形成しておき、必要に応じて、必要な取付孔にガイドピン１７を取り付けることとしてもよい。
【００３４】
位置合わせ用のガイドピン１７の付近には、フットペダル１５を接続したケーブルを差し込む差込口１６を有している。作業者はガイドピン１７を用いて印刷媒体の位置決めを行うので、ガイドピン１７の付近にフットペダル１５を配置することにより、両手を使って印刷媒体をガイドピン１７に位置決めし、その体勢で、フットペダル１５を足で操作することで、印刷媒体を適切に位置決めした状態で載置部１０に固定することができる。
【００３５】
次に、テーブル１０ａ，１０ｂを連結する構成について説明する。上記した説明からも分かるとおり、テーブル１０ａ，１０ｂを連結した場合、Ｙバー１１が連結部分を超えて、増設されたテーブル１０ｂの側に移動できるようにする必要がある。
【００３６】
まず、Ｙバー１１がＸ方向に移動可能に案内される構成について説明する。載置部１０の両側面には、Ｘ方向に延びるガイドレールが設けられている。また、このガイドレールによって案内されてＸ方向に移動するスライダを備えている。Ｙバー１１は、上下方向に延びる連結部材によってスライダに連結されている。この構成により、スライダがガイドレールに案内されることによって、Ｙバー１１はＸ方向に移動する。
【００３７】
また、スライダは、ピニオンギアを有している。載置部１０の両側面には、ガイドレールと平行なラックレールが設けられており、ピニオンギアの歯と噛み合っている。モーターによってピニオンギアが回転駆動されると、これに伴って、スライダがＸ方向に移動する。以上のような構成を有しているので、テーブル１０ｂを増設する際には、ガイドレール及びラックレールを延長する必要がある。
【００３８】
図４（ａ）〜図４（ｃ）は、テーブル１０ａにテーブル１０ｂを連結する過程を示す図である。まず、図４（ａ）に示すように、テーブル１０ａの凹部３４と、テーブル１０ｂの凸部３５との位置を合わせた状態とする。テーブル１０ａ，１０ｂには、上記したとおり、レール支持部材３３によって、ラックレール３２とガイドレール３１が保持されている。
【００３９】
次に、図４（ｂ）に示すように、テーブル１０ｂを−Ｘ方向に移動させ、凹部３４に凸部３５が挿入されるようにテーブル１０ａにテーブル１０ｂを連結させる。連結後、図示しない固定部材等によりテーブル１０ａとテーブル１０ｂを固定させてもよい。
【００４０】
次に、図４（ｃ）に示すように、テーブル１０ａのガイドレール３１とテーブル１０ｂのガイドレール３１との間に連結用ガイドレール３６を配置する。また、テーブル１０ａのラックレール３２とテーブル１０ｂのラックレール３２との間に連結用ラックレール３７を配置する。これにより、テーブル１０ａとテーブル１０ｂとの連結が完了する。
【００４１】
図５は、第１の領域に載置された印刷媒体、及び、第２の領域に載置された印刷媒体を印刷するときの画像データを説明するための図である。なお、図５においては、Ｙバーと吸着孔を省略して記載している。第１の領域に印刷媒体を載置する場合にも、第２の領域に印刷媒体を載置する場合にも、画像の右下が原点になるようにする。
【００４２】
第１の領域に載置された印刷媒体を印刷する際には、最初に、画像の右下の部分から左にスキャンが行われ、１行のスキャンが終わると、一つ上にフィードして右から左にスキャンを行うという処理を繰り返すので、画像の右下から印刷が行われるように画像データを第１の領域の座標に割り当てる。第２の領域に載置された印刷媒体を印刷する際には、最初に、画像の左上の部分から右にスキャンが行われ、１行のスキャンが終わると、一つ下にフィードして左から右にスキャンを行うという処理を繰り返すので、画像の左上から印刷が行われるように画像データを第２の領域の座標に割り当てる。すなわち、画像データを１８０度回転させる。
【００４３】
これにより、印刷媒体をセットする作業者Ｗにとっては、作業者Ｗから見て同じ向きに印刷媒体をセットすればよいので、上下を間違って印刷してしまうという間違いが起きにくい。また、印刷媒体の形状が上下で異なっており、例えば、上が楕円で下が直線である場合等には、下をガイドピン１７に当てて位置合わせを行う必要がある。このような場合には、画像データを１８０°回転させないと、正しく印刷することができない。
【００４４】
以上、本発明の実施の形態のプリンタ装置１の構成について説明した。しかし、本発明のプリンタ装置は、上記した実施の形態に限定されるものではない。
【００４５】
上記した実施の形態では、フットペダル１５を踏み込むたび毎に、吸着手段のオン／オフの切り替えを行う例について説明したが、フットペダル１５では吸着手段のオン／オフ以外の制御を行ってもよい。例えば、フットペダル１５を長押ししたときには、吸着孔から空気を吹き出す制御を行ってもよい。これにより、印刷媒体が浮き上がるので、印刷媒体を載置部１０から取り外しやすくなる。
【００４６】
上記した実施の形態では、フットペダル１５をケーブルで装置本体に接続した例について説明したが、フットペダル１５は必ずしもケーブルで接続する必要はない。フットペダル１５は、ガイドピン１７を用いて載置部１０に印刷媒体を載置する作業者が、その場で操作可能な位置に配置されていることが好ましく、操作可能な位置に配置する構成としては、ケーブルを利用する方法のほかに、装置本体とフットペダル１５を無線によって接続する構成としてもよい。また、装置本体の側部の周囲のどこでも接続可能なように、接続用のガイドを設けておき、作業者が適宜の位置でフットペダル１５を接続可能な構成としてもよい。
【００４７】
上記した実施の形態では、テーブル１０ｂを増設して載置部１０の面積を大きくしたプリンタ装置１を例として説明したが、テーブル１０ｂは必ずしも増設しなくてもよい。一つのテーブル１０ａであっても、その中に、第１の領域、第２の領域を設定し、交互に印刷を行ってもよい。
【００４８】
上記した実施の形態では、印刷媒体に対する印刷を行う際に、制御部１３が吸着手段を制御し、載置部１０に印刷媒体を吸着させる例について説明したが、逆に印刷が終了したら自動的に、吸着を解除する構成を採用してもよい。これにより、印刷済みの印刷媒体を速やかに載置部１０から下ろすことができる。
【００４９】
図６は、変形例に係るプリンタ装置２の構成を示す図である。なお、図６においては、Ｙバーと吸着孔を省略して記載している。変形例に係るプリンタ装置２は、上記した実施の形態のプリンタ装置１の構成に加えて、第２の領域の位置合わせを行うガイドピン１７が載置部１０の中央にも設けられ、その近傍にケーブルの差込口１６を有している。このように、載置部１０の中央にガイドピン１７を有することにより、載置部１０の側面から印刷媒体をセットすることができる。プリンタ装置２を設置する場所の環境によっては、操作パネル１４を有する端部の反対側の端部に作業者が入るほどのスペースをとることができない場合もあるが、そのような場合に、載置部１０中央にガイドピン１７を有することで、第２の領域に印刷媒体をセットすることが可能になる。
【００５０】
上記した実施の形態においては、載置部１０の第１の領域、第２の領域のそれぞれに印刷媒体を載置する例を挙げたが、本発明は、載置部１０を３つまたはそれ以上の領域に分けて、それぞれの領域に印刷媒体を置き、順番に印刷を行うプリンタ装置にも適用できる。
【００５１】
上記した実施の形態においては、位置合わせ手段として複数のガイドピン１７を例として説明したが、位置合わせ手段として、板状の部材を立設することとしてもよい。
【００５２】
（実施の形態の効果）
（１）本実施の形態のプリンタ装置１は、印刷媒体を載置する載置部１０と、載置部１０の上方においてＹ方向に延在し、インクを吐出するヘッドユニットをＹ方向に移動可能に保持すると共に、Ｘ方向に移動可能に保持されるＹバー１１と、載置部１０の第１の領域に載置された印刷媒体と、第１の領域とは異なる第２の領域に載置された印刷媒体とを、順番に印刷するように制御する制御部１３と、第１の領域及び第２の領域の端部であって、Ｙバー１１のＸ方向における可動領域の端にある側の端部に設けられた、印刷媒体を載置部１０に載置する際の位置合わせのためのガイドピン１７とを備える。
【００５３】
このように印刷媒体の位置合わせ用のガイドピン１７を、第１の領域及び第２の領域の端部であって、Ｙバー１１のＸ方向における可動領域の端にある側の端部に設けることにより、作業者Ｗが、印刷中のヘッドユニットの反対の載置部１０の端部から印刷媒体を交換する作業を行うことができる。したがって、第１の領域で印刷媒体の印刷中においても、印刷媒体を第２の領域の適切な位置に置くことができ、逆に、第２の領域で印刷媒体の印刷中においても、印刷媒体を第１の領域の適切な位置に置くことができる。
【００５４】
（２）本実施の形態のプリンタ装置１は、第１の領域または第２の領域に吸着孔１８を有し、空気を吸引することで印刷媒体を載置部１０に吸着させる吸着手段と、吸着手段を作動させるか停止するかを切り替えるフットペダル１５とを備えている。
【００５５】
このように吸着手段を操作するフットペダル１５を有することにより、印刷媒体の位置合わせを行うために両手を使うことができ、位置合わせをした段階で吸着して印刷媒体を固定できるので、印刷媒体の位置合わせを容易に行える。
【００５６】
（３）本実施の形態のプリンタ装置１において、フットペダル１５は、ガイドピン１７を用いて載置部１０に印刷媒体を載置する際に、操作可能な位置に配置されてもよい。
【００５７】
この構成により、ガイドピン１７を用いて印刷媒体を載置する際に、作業者は、印刷媒体の位置合わせと行うと共に、その場を離れることなく、印刷媒体の載置部１０への吸着を行うことができる。
【００５８】
（４）本実施の形態のプリンタ装置１において、フットペダル１５は、載置部１０を備える装置本体とケーブルによって接続されている。作業者Ｗの利き足や印刷媒体の大きさや形状などによって作業者Ｗが作業を行う場所は異なるが、本実施の形態の構成により、作業者Ｗの使いやすい場所にフットペダル１５を移動することができる。
【００５９】
（５）ケーブルは、ガイドピン１７の近傍の差込口１６に差し込まれる。この構成により、ケーブルはガイドピン１７の近傍において装置本体に接続されるので、ガイドピン１７の近傍で作業を行うことができる。これにより、印刷媒体を真上から見て位置合わせすることができ、容易かつ確実に位置合わせを行える。
【００６０】
（６）本実施の形態のプリンタ装置１において、制御部１３は、印刷の開始時に、吸着手段を作動して第１の領域または第２の領域に載置された印刷媒体を吸着させる。この構成により、作業者Ｗが印刷媒体を載置部１０に吸着させる処理をうっかり忘れた場合であっても、印刷媒体を載置部１０に吸着させて確実に固定させた上で印刷を行うことができる。
【００６１】
（７）本実施の形態のプリンタ装置１において、制御部１３は、第１の領域に載置された印刷媒体を印刷する場合と、第２の領域に載置された印刷媒体を印刷する場合とで、１８０°回転させた画像データを用いる。このように第１の領域と第２の領域の場合で、１８０°回転させた画像データを用いることにより、第１の領域と第２の領域のいずれに印刷媒体を載置する場合も、載置部１０の外側から作業を行う作業者Ｗからみて同じ向きに印刷媒体を載置すればよく、印刷媒体を載置する作業の効率を高めることができる。
【産業上の利用可能性】
【００６２】
本発明は、フラットベッド型のプリンタ装置として有用である。
【符号の説明】
【００６３】
１，２  プリンタ装置
１０  載置部
１１  Ｙバー
１２  キャリッジ
１３  制御部
１４  操作パネル
１５  フットペダル
１６  差込口
１７  ガイドピン
１８  吸着孔
２０  ＰＣ
３１  ガイドレール
３２  ラックレール
３３  レール支持部材
３４  凹部
３５  凸部
【図１】
2018043384.tif 000003
【図２】
2018043384.tif 000004
【図３】
2018043384.tif 000005
【図４】
2018043384.tif 000006
【図５】
2018043384.tif 000007
【図６】
2018043384.tif 000008